(57)【要約】【課題】本発明は放送／通信統合型受動光ネットワークシステムを提供する。【解決手段】このために本発明は、受信したデジタル放送信号を時分割多重化し、電子ネットワークを通じて通信信号を受信し、放送信号及び通信信号を波長分割多重化して送信する光線路終端と、光線路終端と光ファイバを通じて一対多接続され、それぞれ光線路終端から放送信号及び通信信号を受信し、放送信号を時分割逆多重化し、放送信号のうち加入者制御信号に従って選択した放送信号と通信信号を出力する多数の光ネットワーク素子と、各光ネットワーク素子と光ファイバを通じて一対多接続され、それぞれ該当光ネットワーク素子から放送信号及び通信信号を受信し、加入者により入力された加入者制御信号を光ネットワーク素子に送信する多数のセットアップボックスと、からなることを特徴とする。【選択図】　図４
2004096737.tif 000002
【特許請求の範囲】
【請求項１】
　放送／通信統合型受動光ネットワークシステムにおいて、
　受信したデジタル放送信号を時分割多重化し、電子ネットワークを通じて通信信号を受信し、前記放送信号及び通信信号を波長分割多重化して送信する光線路終端と、
　前記光線路終端と光ファイバを通じて一対多接続され、それぞれ前記光線路終端から放送信号及び通信信号を受信し、前記デジタル放送信号を時分割逆多重化し、前記放送信号のうち加入者制御信号に従って選択した放送信号と前記通信信号を出力する多数の光ネットワーク素子と、
　前記各光ネットワーク素子と光ファイバを通じて一対多接続され、それぞれ該当光ネットワーク素子から放送信号及び通信信号を受信し、加入者により入力された加入者制御信号を前記光ネットワーク素子に送信する多数のセットアップボックスと、からなることを特徴とする放送／通信統合型受動光ネットワークシステム。
【請求項２】
　前記受信したデジタル放送信号は、ＭＰＥＧ２多重プログラム伝送ストリームである請求項１記載の放送／通信統合型受動光ネットワークシステム。
【請求項３】
　前記電子ネットワークはインターネットである請求項１記載の放送／通信統合型受動光ネットワークシステム。
【請求項４】
　前記光線路終端は、
　動画像フォーマットのデジタル放送信号を時分割多重フォーマットに変換する第１及び第２フォーマット変換器と、
　前記フォーマット変換されたデジタル放送信号を時分割多重化する時分割多重化器と、
　前記電子ネットワークを通じて通信信号を受信する分配器と、
　前記フォーマット変換されたデジタル放送信号及び通信信号を波長分割多重化して前記光ファイバを通じて前記多数の光ネットワーク素子に送信する波長分割多重化器と、からなる請求項１記載の放送／通信統合型受動光ネットワークシステム。
【請求項５】
　前記時分割多重フォーマットは、ＳＤＨ／ＳＯＮＥＴ標準に従う請求項４記載の放送／通信統合型受動光ネットワークシステム。
【請求項６】
　前記光線路終端は、
　前記放送信号をリマルチプレクシングして前記フォーマット変換器に出力する第１及び第２ローカルプロセッサと、
　ＶＯＤサーバから入力される信号を貯蔵するバッファと、
　前記時分割多重化器から入力された放送信号を電光変換して出力する第１電光変換器と、
　前記分配器から入力された通信信号を電光変換して出力する第２電光変換器と、をさらに含む請求項４記載の放送／通信統合型受動光ネットワークシステム。
【請求項７】
　前記各光ネットワーク素子は、
　前記光ファイバを通じて受信した信号を波長別に逆多重化する波長分割多重化器と、
　逆多重化された放送信号を時分割逆多重化して出力する時分割多重化器と、
　時分割多重フォーマットを有する前記放送信号を動画像フォーマットに変換して出力するフォーマット変換器と、
　前記フォーマット変換された放送信号のうち加入者制御信号に従って選択した放送信号のみを前記セットアップボックスに送信する制御器と、
　前記セットアップボックスから受信した加入者制御信号を前記制御器に出力し、逆多重化された通信信号を前記セットアップボックスに送信する分配器と、からなる請求項１記載の放送／通信統合型受動光ネットワークシステム。
【請求項８】
　前記各光ネットワーク素子は、
　前記逆多重化された光信号のうち、放送信号を光電変換して出力する第１光電変換器と、
　前記逆多重化された光信号のうち、通信信号を光電変換して出力する第２光電変換器と、
　前記光ファイバを通じて入力された通信信号を光電変換する第３光電変換器と、
　入力された放送信号を時分割逆多重化して出力する時分割多重化器と、
　前記制御器から入力された信号の周波数を中間周波数に変換して出力する第１周波数変換器と、
　前記分配器から入力された信号の周波数を中間周波数に変換して出力する第２周波数変換器と、
　前記第１及び第２周波数変換器から入力された信号を合成して出力する信号合成器と、
　前記信号合成器から入力された信号を電光変換して前記光ファイバを通じて伝送する第１電光変換器と、
　前記分配器から入力された通信信号を電光変換して出力する第２電光変換器と、をさらに含む請求項７記載の放送／通信統合型受動光ネットワークシステム。
【請求項９】
　前記各セットアップボックスは、
　前記光ファイバを通じて受信した信号を放送信号及び通信信号に分離して出力する信号分離器と、
　入力された通信信号を加入者端末に出力し、加入者端末から受信した放送チャネルを変更するための加入者制御信号を含む通信信号を電光変換器に出力するハブと、からなる請求項１記載の放送／通信統合型受動光ネットワークシステム。
【請求項１０】
　前記各セットアップボックスは、
　前記光ファイバを通じて入力された信号を光電変換して出力する光電変換器と、
　前記信号分離器から入力された前記放送信号及び通信信号の周波数をベースバンド周波数に変換して出力する第１及び第２周波数変換器と、
　前記ハブから入力された通信信号を電光変換して前記光ファイバを通じて伝送する電光変換器と、をさらに含む請求項９記載の放送／通信統合型受動光ネットワークシステム。
【発明の詳細な説明】
【技術分野】
【０００１】
　本発明は光通信システムに関し、特に、受動光ネットワークシステムに関する。
【背景技術】
【０００２】
　電話局からビル及び一般家庭までの加入者ネットワーク構築のために、マルチデジタル加入者回線(x-Digital Subscriber Line：ｘＤＳＬ)、ＨＦＣ(Hybrid Fiber Coax)、ＦＴＴＢ(Fiber To The Building)、ＦＴＴＣ(Fiber To The Curb)、ＦＴＴＨ(Fiber To The Home)などの多様なネットワーク構造と改良方案が提示されている。
【０００３】
　このようなＦＴＴｘ(即ち、ＦＴＴＢ、ＦＴＴＣ、ＦＴＴＨ)の具現は、能動型光ネットワーク(Active Optical Network：ＡＯＮ)構成による能動型ＦＴＴｘと、受動型光ネットワーク(Passive Optical Network：ＰＯＮ)構成による受動型ＦＴＴｘとに区分することができる。ＰＯＮは受動素子によるポイントツーマルチポイント(point-to-multipoint)のトポロジ(topology)を有するネットワーク構成により、今後経済性がある光加入者ネットワークの具現化方案として提示されている。
【０００４】
　ＰＯＮは一つの光線路終端(Optical Line Termination：ＯＬＴ)に多数の光ネットワーク素子(Optical Network Unit：ＯＮＵ)を１×Ｎの受動光スプリッタを使用して接続することにより、ツリー構造の分散トポロジを形成する加入者ネットワーク構造である。
【０００５】
　現在、デジタル放送サービスと、ビデオオンデマンド(Video On Demand：ＶＯＤ)サービス、インタネットサービスなどの通信サービスを含むインターネットサービスは独立的に提供されている。デジタル放送サービスを提供するシステムの場合は、複雑な装置の組み合わせで構成されており、主にＨＦＣ(hybrid fiber coax)ネットワーク又はＤＢＳ(direct broadcast satellite)ネットワークのような放送ネットワークに適合した形態になっている。このような場合、放送及び通信サービスを提供するためには、ヘッドエンド(head_end)とＯＬＴなどを分離運営すべきであり、ＯＮＵまでデータを伝送するためには副搬送波アナログ伝送(sub carrier analog transmission)を遂行すべきであるが、この時、伝送効率を高めるために複雑な変調方式が採択されている。また、家庭内の接続ネットワークが同軸ケーブルの形態で構成されているので、伝送帯域幅が約９００ＭＨｚに制限されている。さらに、放送ネットワークの場合は、全放送チャネルを全ての加入者に伝送する方式を採択しているので加入者の帯域幅使用面でも非常に不合理な構造になっており、同軸ケーブルの伝送距離の制限がさらに存在する。インターネットサービス受容部分においては、ケーブルモデム(cable modem)を使用する形態があるが、加入者に限定したサービスが提供されることに起因して増加する加入者に対し効率的な帯域幅を提供することができないという問題がある。
【０００６】
　図１は従来技術によるデジタル放送サービスシステムの構成を示す図である。図１にはヘッドエンド１３０とＯＬＴ１６０が示されている。
【０００７】
　デジタル放送信号は衛星アンテナ１１０又はデジタルメディアセンタ(Digital Media Center：ＤＭＣ)１２０に入ってヘッドエンド１３０で受信される。このデジタル放送信号はＭＰＥＧ２多重プログラム伝送ストリーム(ＭＰＥＧ２ multi program transport stream)の形式になりえ、多重プログラム伝送ストリームは多数のＭＰＥＧ２伝送ストリーム(ＭＰＥＧ２transport stream)で構成される。
【０００８】
　ヘッドエンド１３０は伝送ストリームデマルチプレクサ１４０と多数のローカルプロセッサ(local processor)１５０で構成される。
【０００９】
　伝送ストリームデマルチプレクサ１４０はＭＰＥＧ２多重プログラム伝送ストリームを多数のＭＰＥＧ２伝送ストリームに逆多重化する。このような逆多重化過程は以後の変調過程を遂行するために先行して行われる。
【００１０】
　ローカルプロセッサ１５０はＭＰＥＧ２伝送ストリームに暗号化処理、顧客管理処理などを遂行するためのリマルチプレクシング(remultiplexing)を遂行する。
【００１１】
　ＯＬＴ１６０は多数の直交振幅変調器(Quadrature Amplitude Modulator：ＱＡＭ)１７０と、周波数変換器１８０と、信号合成器(signalcombiner)１９０と、電光変換器(E/O converter)２００と、からなる。
【００１２】
　ＱＡＭ１７０は搬送波の位相及び振幅を変化させることにより高速デジタル伝送を可能にする。周波数変換器１８０は入力された信号の周波数を中間周波数(Intermediate Frequency：ＩＦ)信号に変換する。信号合成器１９０は入力された多数の信号を多重化して一つの放送信号に出力する。電光変換器２００は放送信号を電光変換して光ファイバ２１０を通じて伝送する。電光変換器２００には所定波長の光を出力するレーザダイオードを使用することができる。
【００１３】
　以後、電光変換された放送信号は光ファイバ２１０を通じてＯＬＴ１６０と接続された多数のＯＮＵ(図示せず)に提供される。
【００１４】
　図２は従来技術によるＨＦＣネットワークの周波数帯域割り当てを示す図である。図示したように、伝送帯域幅が８２５ＭＨｚまでに限定されていることが解かり、ＶＯＤ、放送サービスなどのための周波数帯域が狭いので、リアル（real）ＶＯＤサービス、高速インターネットサービスなどの提供が難しい。
【００１５】
　上述したように、従来方式に従うデジタル放送サービス、ＶＯＤサービス、インターネットサービスなどの通信サービスの提供には、下記のような問題点がある。
【００１６】
　１．デジタル放送と通信サービスがそれぞれ独立的に提供されるので、資源の利用及び管理が非能率的である。
【００１７】
　２．デジタル放送の場合、ＨＦＣネットワークに適合した形態であるので、衛星やＤＭＣなどで伝送される放送信号の伝送効率を高めるために、６４−ＱＡＭ、２５６−ＱＡＭなどのような複雑な変調方式を採択することが必要である。
【００１８】
　３．ヘッドエンドとＯＬＴなどは分離運営すべきであり、ＯＮＵまでデータを伝送するために副搬送波アナログ光伝送を遂行すべきである。この時、家庭内の接続ネットワークが同軸ケーブルの形態になっているので、伝送帯域幅が約９００ＭＨｚであるという点で問題がある。
【００１９】
　４．通信サービスの受容部分において、ケーブルモデム形態では、加入者に限定したサービスが割り当てられるので増加する加入者に対して効率的な帯域幅を提供することができないという問題がある。
【発明の開示】
【発明が解決しようとする課題】
【００２０】
　従って、前述の問題点を解決するための本発明の目的は、デジタル放送とインターネットを統合できるＰＯＮシステムを提供することにある。
【課題を解決するための手段】
【００２１】
　このような目的を達成するために本発明による放送／通信統合型ＰＯＮシステムは、受信したデジタル放送信号を時分割多重（Time Division Multiplexing format：ＴＤＭ）化し、電子ネットワークを通じて通信信号を受信し、放送信号及び通信信号を波長分割多重化して送信するＯＬＴと、ＯＬＴと光ファイバを通じて一対多接続され、それぞれＯＬＴから放送信号及び通信信号を受信し、デジタル放送信号を時分割逆多重化し、放送信号のうち加入者制御信号に従って選択した放送信号と通信信号を出力する多数のＯＮＵと、各ＯＮＵと光ファイバを通じて一対多接続され、それぞれ該当ＯＮＵから放送信号及び通信信号を受信し、加入者により入力された加入者制御信号をＯＮＵに送信する多数のセットアップボックスと、からなることを特徴とする。
【００２２】
　また、本発明の放送／通信統合型受動光ネットワークシステムにおいて、受信したデジタル放送信号は、ＭＰＥＧ２多重プログラム伝送ストリームであると良い。
【００２３】
　また、電子ネットワークはインターネットであると好ましい。
【００２４】
　また、本発明のＯＬＴは、動画像フォーマットのデジタル放送信号をＴＤＭフォーマットに変換する第１及び第２フォーマット変換器と、フォーマット変換されたデジタル放送信号をＴＤＭ化する時分割マルチプレクサと、電子ネットワークを通じて通信信号を受信する分配器と、フォーマット変換されたデジタル放送信号及び通信信号を波長分割多重化して光ファイバを通じて多数のＯＮＵに送信する波長分割マルチプレクサと、からなると良い。
【００２５】
　また、本発明のＴＤＭフォーマットは、ＳＤＨ／ＳＯＮＥＴ（Synchronous Digital Hierarchy/Synchronous Optical NETwork）標準に従うと良い。
【００２６】
　また、本発明のＯＬＴは、放送信号をリマルチプレクシングしてフォーマット変換器に出力する第１及び第２ローカルプロセッサと、ＶＯＤサーバから入力される信号を貯蔵するバッファーと、時分割マルチプレクサから入力された放送信号を電光変換して出力する第１電光変換器と、分配器から入力された通信信号を電光変換して出力する第２電光変換器と、をさらに含むと好ましい。
【００２７】
　また、本発明の各ＯＮＵは、光ファイバを通じて受信した信号を波長別に逆多重化する波長分割マルチプレクサと、逆多重化された放送信号を時分割逆多重化して出力する時分割マルチプレクサと、ＴＤＭフォーマットを有する放送信号を動画像フォーマットに変換して出力するフォーマット変換器と、フォーマット変換された放送信号のうち加入者制御信号に従って選択した放送信号のみをセットアップボックスに送信する制御器と、セットアップボックスから受信した加入者制御信号を制御器に出力し、逆多重化された通信信号をセットアップボックスに送信する分配器と、からなると良い。
【００２８】
　そしてまた、本発明の各ＯＮＵは、逆多重化された光信号のうち、放送信号を光電変換して出力する第１光電変換器と、逆多重化された光信号のうち、通信信号を光電変換して出力する第２光電変換器と、光ファイバを通じて入力された通信信号を光電変換する第３光電変換器と、入力された放送信号を時分割逆多重化して出力する時分割マルチプレクサと、制御器から入力された信号の周波数をＩＦに変換して出力する第１周波数変換器と、分配器から入力された信号の周波数をＩＦに変換して出力する第２周波数変換器と、第１及び第２周波数変換器から入力された信号を合成して出力する信号合成器と、信号合成器から入力された信号を電光変換して光ファイバを通じて伝送する第１電光変換器と、分配器から入力された通信信号を電光変換して出力する第２電光変換器と、をさらに含むと良い。
【００２９】
　また、本発明の放送／通信統合型受動光ネットワークシステムの各セットアップボックスは、光ファイバを通じて受信した信号を放送信号及び通信信号に分離して出力する信号分離器と、入力された通信信号を加入者端末に出力し、加入者端末から受信した放送チャネルを変更するための加入者制御信号を含む通信信号を電光変換器に出力するハブと、からなると好ましい。
【００３０】
　また、本発明の各セットアップボックスは、光ファイバを通じて入力された信号を光電変換して出力する光電変換器と、信号分離器から入力された放送信号及び通信信号の周波数をベースバンド周波数に変換して出力する第１及び第２周波数変換器と、ハブから入力された通信信号を電光変換して光ファイバを通じて伝送する電光変換器と、をさらに含むと良い。
【発明の効果】
【００３１】
　本発明の放送／通信統合型ＰＯＮシステムによると、１．放送システムと通信システムを統合することにより、効率的なサービスを提供することができる。２．放送信号をＳＤＨ／ＳＯＮＥＴ(Synchronous Digital Hierarchy/Synchronous Optical NETwork)によるフォーマットを有するように変換することにより、従来の複雑な変調過程を遂行することなく、既存のＳＤＨ／ＳＯＮＥＴネットワークを流れることができる。３．制御器を利用して加入者が所望する放送チャネルのみを選択することができるので、帯域幅を効率的に利用することができる。４．波長分割多重方式を採択することにより、ＨＦＣネットワークの帯域幅制限が緩和されるので、超高速サービスを提供することができ、光チャネルを追加することにより帯域幅を容易に拡張することができる利点がある。
【発明を実施するための最良の形態】
【００３２】
　以下、本発明に従う好適な一実施形態について図面を参照しつつ詳細に説明する。下記の説明において、本発明の要旨のみを明瞭にする目的で、関連した公知機能又は構成に関する具体的な説明は省略する。
【００３３】
　図３は本発明の好ましい一実施形態による放送／通信統合型ＰＯＮシステムの構成を示す図である。
【００３４】
　ＯＬＴ４００は多数のＯＮＵ５００と光ファイバ４８０を通じて通信し、各ＯＮＵ５００は多数のセットアップボックス６００と通信する。
【００３５】
　ＯＬＴ４００は、通信信号を受信するためにインターネット３４０及びＶＯＤサーバ３３０と接続されており、衛星アンテナ３１０又はＤＭＣ３２０からデジタル放送信号を受信する。この一実施形態では、デジタル放送信号はＭＰＥＧ２多重プログラム伝送ストリーム(ＭＰＥＧ２multi-program transport stream)である。
【００３６】
　各ＯＮＵ５００は、ＯＬＴ４００から放送信号及び通信信号を受信してセットアップボックス６００に送信し、セットアップボックス６００から通信信号を受信してＯＬＴ４００に送信する。
【００３７】
　各セットアップボックス６００は加入者により入力された加入者制御信号をＯＮＵ５００に送信する。
【００３８】
　図４は図３に示したＯＬＴの構成を示す図である。ＯＬＴ４００は、第１及び第２ローカルプロセッサ４１０と、第１及び第２フォーマット変換器４２０と、時分割マルチプレクサ４３０と、バッファ(buffer)４４０と、分配器４５０と、第１電光変換器４６２及び第２電光変換器４６４と、波長分割マルチプレクサ４７０と、光電変換器４９０と、からなる。
【００３９】
　各ローカルプロセッサ４１０はＭＰＥＧ２多重プログラム伝送ストリームに暗号化処理、顧客管理処理などを遂行するためのリマルチプレクシング(re-multiplexing)を遂行する。通常的に、リマルチプレクシングは、入力として一以上の多重化又は個々のビットストリーム(bit stream)を受信し、各入力から、例えばパケットストリーム(stream of packets)のような識別されたサブコンポーネント(sub-components)を抽出し、この抽出したサブコンポーネントを他の利用可能なビットストリームと結合して新たな多重化ビットストリーム(即ち、リマルチプレクシングデータストリーム)を出力する過程を含む。
【００４０】
　各フォーマット変換器４２０は、ＳＤＨ／ＳＯＮＥＴ(Synchronous Digital Hierarchy/Synchronous Optical NETwork)標準に従って、各ローカルプロセッサ４１０から入力されたリマルチプレクシングデジタル放送信号である動画像フォーマット(moving image format)をＴＤＭフォーマットに変換する。このＳＤＨ／ＳＯＮＥＴとは光媒体上で同期式データ伝送をするための標準を意味する。。
【００４１】
　時分割マルチプレクサ４３０は各フォーマット変換器４２０から出力されフォーマット変換された信号を時分割多重化して出力する。
【００４２】
　バッファ４４０はＶＯＤサーバ３３０から入力された信号を貯蔵するように機能する。
【００４３】
　分配器４５０は、インターネット３４０、ＶＯＤサーバ３３０から受信したダウンストリームの通信信号を該当目的地(セットアップボックス６００側)に送信し、ＯＮＵ５００から受信したアップストリームの信号をインターネットに送信するように機能する。分配器４５０には通信信号を次の目的地まで送るために経路又は回線を選択するネットワーク装備であるイーサネット（登録商標）スイッチ(Ethernet（登録商標） switch)、同一の伝送プロトコルを使用する分離されたネットワークを接続する装置としてネットワーク階層間を互いに接続するイーサネット（登録商標）ルータ(Ethernet（登録商標） router)などを使用することができる。
【００４４】
　第１電光変換器４６２は時分割マルチプレクサ４３０から入力された放送信号を電光変換して出力し、第２電光変換器４６４は分配器４５０から入力された通信信号を電光変換して出力する。
【００４５】
　波長分割マルチプレクサ４７０は放送信号(電光変換器４６２から入力された)及び通信信号(電光変換器４６４から入力された)を光ファイバ４８１を通じてＯＮＵ５００に送信する。また、波長分割マルチプレクサ４７０は光ファイバ４８０を通じて受信した通信信号を光電変換器４９０を通じて分配器４５０に出力する。
【００４６】
　光電変換器４９０は波長分割マルチプレクサ４７０から入力された通信信号を光電変換して分配器４５０に出力する。
【００４７】
　図５は図３に示したＯＮＵの構成を示す図である。ＯＮＵ５００は、波長分割マルチプレクサ５１０と、時分割マルチプレクサ５３０と、多数のフォーマット変換器５４０と、制御器５５０と、分配器５９０と、第１周波数変換器５６２及び第２周波数変換器５６４と、信号合成器５７０と、第１光電変換器５２２、第２光電変換器５２４及び第３光電変換器５２６と、第１電光変換器５８２及び第２電光変換器５８４と、からなる。
【００４８】
　波長分割マルチプレクサ５１０は光ファイバ４８０を通じて入力された光信号を波長別に逆多重化する。
【００４９】
　第１光電変換器５２２は波長分割マルチプレクサ５１０から出力された逆多重化された光信号のうち、放送信号を光電変換し出力する。第２光電変換器５２４は逆多重化された光信号のうち、通信信号を光電変換して出力する。第３光電変換器５２６は光ファイバ４８０を通じて入力された通信信号を光電変換して出力する。
【００５０】
　時分割マルチプレクサ５３０は第１光電変換器５２２から受信した放送信号を時分割逆多重化して出力する。
【００５１】
　各フォーマット変換器５４０はＴＤＭフォーマットの放送信号をＭＰＥＧ２多重プログラム伝送ストリームにフォーマット変換して出力する。即ち、フォーマット変換器５４０はＴＤＭフォーマットの放送信号を動画像フォーマットに変換して出力する。
【００５２】
　制御器５５０は、分配器５９０から出力された加入者制御信号に従って、各フォーマット変換器５４０から出力された複数の放送チャネルのうち、一の放送チャネルを選択するように機能する。即ち、制御器５５０は入力されたＭＰＥＧ２多重プログラム伝送ストリーム中で加入者が選択したＭＰＥＧ２多重プログラム伝送ストリームのみを出力する。なお、制御器５５０として通信選択カード(Broadcast Selection Card：ＢＳＣ)を使用することができる。
【００５３】
　第１周波数変換器５６２は制御器５５０から受信した信号をアップコンバータで第１ＩＦ信号に変換して出力する。
【００５４】
　分配器５９０は第２光電変換器５２４から出力された通信信号を第２周波数変換器５６４に出力する。また、分配器５９０は、第３光電変換器５２６から出力された通信信号が加入者制御信号でない場合には、その通信信号を第２電光変換器５８４に出力し、第３光電変換器５２６から出力された通信信号が加入者制御信号である場合には、その加入者制御信号を制御器５５０に出力する。
【００５５】
　第２周波数変換器５６４は分配器５９０から受信した信号をアップコンバータで第２ＩＦ信号に変換して出力する。
【００５６】
　信号合成器５７０は第１周波数変換器５６２及び第２周波数変換器５６４からの入力信号を合成して出力する。
【００５７】
　第１電光変換器５８２は信号合成器５７０からの入力信号を電光変換し光ファイバ４８０を通じて伝送する。
【００５８】
　図６は図３に示した加入者側セットアップボックス６００の構成を示す図である。セットアップボックス６００は、光電変換器６１０と、電光変換器６５０と、信号分離器６２０と、第１周波数変換器６３２及び第２周波数変換器６３４と、ハブ(hub)６４０と、からなり、加入者端末であるコンピュータ７３０、ＶＯＤプレイヤー７２０、ＨＤＴＶ(High Definition TeleVision)７１０とがそれぞれ接続されている。
【００５９】
　光電変換器６１０は光ファイバ４８０を通じて入力された信号を光電変換し出力する。
【００６０】
　信号分離器６２０は光電変換器６１０から出力された信号を、放送信号と通信信号とに分離して出力する。
【００６１】
　第１周波数変換器６３２及び第２周波数変換器６３４は信号分離器６２０から出力された放送信号及び通信信号をダウンコンバータでＩＦバンドからもとのベースバンド信号に変換して出力する。復元されたベースバンド放送信号はＨＤＴＶ７１０に入力される。
【００６２】
　ハブ６４０はＶＯＤプレイヤー７２０、コンピュータ７３０又はＨＤＴＶ７１０から入力された通信信号を電光変換器６５０に出力し、第２周波数変換器６３４から入力された通信信号はＶＯＤプレイヤー７２０又はコンピュータ７３０に出力する。この一実施形態では、ＨＤＴＶ７１０は放送チャネルを変更するために加入者制御信号を出力する。
【００６３】
　電光変換器６５０は入力された通信信号を電光変換し光ファイバ４８０を通じて伝送する。
【００６４】
　図７は本発明の一実施形態による放送／通信統合型ＰＯＮの周波数帯域幅割り当てを示す図である。従来に比べて、伝送帯域幅が２０００ＭＨｚまで拡大され、通信サービス又はデジタル放送サービスのための十分な周波数帯域幅が提供され得ることが解る。
【００６５】
　以上、具体的な一実施形態に基づいて説明したが、本発明はこれに限るものでなく、各種の変形が本発明の特許請求の範囲を逸脱しない限り、該当技術分野における通常の知識をもつ者により可能なのは明らかである。
【図面の簡単な説明】
【００６６】
【図１】従来技術によるデジタル放送サービスシステムの構成を示す図。
【図２】従来技術によるＨＦＣネットワークの周波数帯域割り当てを示す図。
【図３】本発明の好ましい一実施形態による放送／通信統合型ＰＯＮシステムの構成を示す図。
【図４】図３に示したＯＬＴの構成を示す図。
【図５】図３に示したＯＮＵの構成を示す図。
【図６】図３に示した加入者側セットアップボックスの構成を示す図。
【図７】本発明による放送／通信統合型ＰＯＮの周波数帯域幅割り当てを示す図。
【符号の説明】
【００６７】
　３１０　衛星アンテナ
　３２０　ＤＭＣ
　３３０　ＶＯＤサーバ
　３４０　インターネット
　４００　ＯＬＴ
　４１０　ローカルプロセッサ
　４２０、５４０　フォーマット変換器
　４３０、５３０　時分割マルチプレクサ
　４４０　バッファ
　４５０　分配器
　４６２、５８２　第１電光変換器
　４６４、５８４　第２電光変換器
　４７０、５１０　波長分割マルチプレクサ
　４８０　光ファイバ
　４９０、６１０　光電変換器
　５００　ＯＮＵ
　５２２　第１光電変換器
　５２４　第２光電変換器
　５２６　第３光電変換器
　５５０　制御器
　５６２、６３２　第１周波数変換器
　５６４、６３４　第２周波数変換器
　５７０　信号合成器
　５９０　分配器
　６００　セットアップボックス
　６４０　ハブ
　６５０　電光変換器
　７１０　ＨＤＴＶ
　７２０　ＶＯＤプレヤー
　７３０　コンピュータ
【図１】
2004096737.tif 000003
【図２】
2004096737.tif 000004
【図３】
2004096737.tif 000005
【図４】
2004096737.tif 000006
【図５】
2004096737.tif 000007
【図６】
2004096737.tif 000008
【図７】
2004096737.tif 000009